(57)【要約】【課題】飛翔昆虫、とくにコバエ類に対する誘引性および捕獲性の高い捕獲器を提供する。【解決手段】赤色の粘着捕獲シート、および少なくとも１個以上の飛翔昆虫の誘引孔を上部に有する該シートを覆う青色のカバーからなる飛翔昆虫用捕獲器である。【選択図】図１
2006191883.tif 000002
【特許請求の範囲】
【請求項１】
赤色の粘着捕獲シート、および少なくとも１個以上の飛翔昆虫の誘引孔を上部に有する該シートを覆う青色のカバーからなる飛翔昆虫用捕獲器。
【請求項２】
飛翔昆虫がコバエ類である請求項１記載の飛翔昆虫用捕獲器。
【発明の詳細な説明】
【技術分野】
【０００１】
本発明は、飛翔昆虫、とくにコバエ類に対する誘引性および捕獲性の高い捕獲器に関する。
【背景技術】
【０００２】
従来、ハエやガなどの害虫を捕獲するための捕獲器については、様々な種類が提案されており、近年では、害虫の誘引性を向上させるために、捕獲器の形状だけでなく、その色についても検討が行なわれている。
【０００３】
たとえば、特許文献１には、捕獲器を形成する容器の上部を緑色に、容器の下部を上部の明度より低くすることにより、ハエ類などの誘引性を高くした捕獲器が提案されている。特許文献２には、イチモンジセシリの誘引性を向上させるために外面の一部または全部を青色および／またはオレンジ色にした捕獲器が、特許文献３には、種々の害虫の誘引性を向上させるために黄色または青色に着色した捕虫器が記載されている。また、特許文献４には、多くの害虫が特定の波長の光に誘引されることを利用して、２種以上の害虫を捕獲するために多色シートを用いた捕獲装置が、特許文献５には、青色または黄色の虫誘引部を有するハエ類などの捕獲器が開示されている。さらに、特許文献６には、ハエの誘引剤について、誘引活性を高めるために、赤色や黄色などに着色する技術が記載されている。
【０００４】
しかし、このように特定の色に着色された従来の捕獲器を用いても、飛翔昆虫、とくにコバエ類を充分に捕獲することは困難であり、捕獲器のさらなる改良が求められていた。
【０００５】
【特許文献１】特開２００３−１５３６４５号公報
【特許文献２】特開平９−２４８１１７号公報
【特許文献３】特開平１１−７５６５７号公報
【特許文献４】特開２０００−６０４０４号公報
【特許文献５】特開２００２−２５３１０１号公報
【特許文献６】特開２００１−１０９１７公報
【発明の開示】
【発明が解決しようとする課題】
【０００６】
本発明は、飛翔昆虫、とくにコバエ類に対する誘引性および捕獲性の高い捕獲器を提供することを目的とする。
【課題を解決するための手段】
【０００７】
本発明は、赤色の粘着捕獲シート、および少なくとも１個以上の飛翔昆虫の誘引孔を上部に有する該シートを覆う青色のカバーからなる飛翔昆虫用捕獲器に関する。
【０００８】
飛翔昆虫は、コバエ類であることが好ましい。
【発明の効果】
【０００９】
本発明の飛翔昆虫用捕獲器は、赤色の粘着捕獲シート、および少なくとも１個以上の飛翔昆虫の誘引孔を上部に有する該シートを覆う青色のカバーから形成されており、飛翔昆虫、とくにコバエ類の誘引性が非常に高い。
【発明を実施するための最良の形態】
【００１０】
本発明は、赤色の粘着捕獲シート、および少なくとも１個以上の飛翔昆虫の誘引孔を上部に有する該シートを覆う青色のカバーからなる飛翔昆虫用捕獲器に関する。
【００１１】
以下、本発明の飛翔昆虫用捕獲器を、図１を用いて説明する。図１は、本発明の捕獲器の横面断面図を示す図である。
【００１２】
本発明の捕獲器１に用いられる粘着捕獲シート２は、捕獲器１の底面を形成するものであり、少なくとも、青色のカバー４で覆われる側に粘着剤層が形成され、粘着面３を有するものである。粘着剤層は、シートの一部に形成されていてもよく、全面に形成されていてもよい。
【００１３】
粘着捕獲シート２を形成する基材シートの材質は、とくに限定されず、たとえば、紙、プラスチック、木材、不織布、ガラス、金属などを用いることができる。これらの中では、粘着加工、着色加工が容易である点、経済的に有益な点より紙がとくに好ましい。
【００１４】
また、粘着捕獲シート２の粘着剤層を形成する粘着性物質としては、たとえば、アクリル系粘着剤、合成ゴム、ポリイソブチレン、スチレン−ブタジエンゴム粘着剤、ブチルゴム、クロロプレンゴム、塩化ビニル−酢酸ビニル共重合体、塩化ゴム、ポリビニルブチラールなどの合成粘着剤、デンプン、ゼラチン、天然ゴムなどの天然粘着剤が用いられる。これらの粘着性物質の中では、とくにアクリル系粘着剤、合成ゴム系粘着剤が、安定性、加工性に優れている点より好ましい。また、粘着性物質には、その用途上の性能を向上させるための各種添加剤、たとえば可塑剤、充填剤、酸化防止剤などを添加してもよい。
【００１５】
本発明の捕獲器１において、粘着捕獲シート２は、少なくともカバー４で覆われる側の面が赤色であることが必要である。赤色にすることにより、本発明の捕獲器１の飛翔昆虫に対する誘引性が向上する。波長としては、５９０ｎｍ以上であることが好ましく、６４０〜８００ｎｍであることがより好ましい。波長が５９０ｎｍ未満であると、コバエが粘着捕獲シート２の色を認識してしまい、青色のカバー４との組み合わせ効果がなくなってしまう傾向がある。
【００１６】
粘着捕獲シート２を赤色に着色する方法は、とくに限定されず、粘着剤層を形成させる前または粘着剤層形成後のシートを赤色の塗料に浸漬させる方法、粘着剤層を形成させる前または粘着剤層形成後のシートに赤色の塗料を塗布する方法、粘着剤層を形成する前のシートに赤色のシートを貼付する方法など、適宜選択することができる。
【００１７】
粘着捕獲シート２は、捕獲器１に侵入した飛翔昆虫を充分に捕獲することのできる面積を有し、カバー４上部の誘引孔５から認識することができるものである限り、形状やサイズはとくに限定されるものではない。
【００１８】
本発明の捕獲器１に用いられるカバー４は、粘着捕獲シート２を覆うものであり、少なくとも１個以上の飛翔昆虫の誘引孔５を上部に有する。
【００１９】
カバー４の材質は、とくに限定されず、たとえば、各種プラスチック、ガラスなど、半透明にすることが可能な材質であればよい。とくに取り扱いが容易な点より、プラスチックが好ましい。さらには、ポリエチレンテレフタレート（ＰＥＴ）およびポリ塩化ビニルが、透明性に優れている点より、とくに好ましい。
【００２０】
カバー４の上部に設けられた飛翔昆虫の誘引孔５は、対象とする飛翔昆虫を捕獲器１内部に侵入させるのに充分な大きさを有し、本発明の捕獲器１を上部から見たときに、捕獲器１の底面に配置された粘着捕獲シート２の赤色が青色カバーを通して少しでも見えるものであればよく、その個数、形状およびサイズはとくに限定されるものではない。捕獲器１を上部から見たときに、赤色の粘着捕獲シート２が見えることにより、本発明の捕獲器１の誘引性は、従来の捕獲器に比べて高くなる。
【００２１】
本発明の捕獲器１において、カバー４は、少なくとも外側の面が青色であることが必要である。カバー４の外側全面が青色であることが好ましいが、カバー４の上部だけが青色であってもよい。カバー４を青色にすることにより、本発明の捕獲器１の飛翔昆虫に対する誘引性が向上する。波長としては、３５０〜４８０ｎｍであることが好ましく、３８０〜４８０ｎｍであることがより好ましい。波長が３５０ｎｍ未満であると、コバエには色が認識できず、４８０ｎｍをこえると、誘引効果が薄くなる傾向がある。
【００２２】
カバー４を青色に着色する方法は、とくに限定されず、粘着捕獲シート２と同様に、カバーを塗料に浸漬させる方法や、カバーに塗料を塗布する方法またはカバー表面に青色のシートを貼付する方法など、適宜選択することができる。
【００２３】
カバー４は、粘着捕獲シート２を覆い、１個以上の誘引孔５を有するものであれば、とくに形状やサイズは限定されず、たとえば、ドーム型、円柱型、四角柱型などの形状にすることができる。
【００２４】
また、本発明の捕獲器１の内部には、必要に応じて、糖類、果汁、フェロモン、醸造酢、醸造酒、酒粕、植物精油などの誘引剤を配置することができる。誘引剤は液状であってもよく、適当な基材に保持させた状態で用いてもよい。ただし、捕獲器１を上部から見たときに、粘着捕獲シート２の赤色が見えるような状態で配置することが必要である。
【００２５】
本発明の捕獲器１は、粘着捕獲シート２およびカバー４よりなるが、粘着捕獲シート２は基材シートに粘着剤層を塗工することで製造される。カバー４は、インジェクション成型、真空成型などにより製造される。また、本発明の捕獲器１は、図１に示すように、底面を粘着捕獲シート２のみで形成し、粘着捕獲シート２を覆うようにカバー４を配置した形状だけでなく、カバー４と同様または異なる材料により形成された底面上に粘着捕獲シート２を配置し、粘着捕獲シート２を覆うようにカバー４を配置した形状であってもよい。たとえば、本発明の捕獲器１は、図２に示すような構成部品により組み立てられる。粘着捕獲シート２の粘着面３には剥離紙６が貼付されており、組み立ての際には、剥離紙６が取り去られたのち、誘引剤７が粘着面３に配置される。誘引剤７は、袋状の容器などに入れられており、使用時には容器の一部を開封した状態で粘着面３に置かれる。続いて、上部に誘引孔５を有するカバー４を粘着捕獲シート２の粘着面３上に設置することにより、本発明の捕獲器１が作成される。カバー４は、図３に示すように、両端に折り返し部８を有するものであり、粘着捕獲シート２上に設置したのち、折り返し部８を粘着捕獲シート２の裏面（粘着面３を有しない面）に折り返すことにより、粘着捕獲シート２とカバー４とを固定することができる。
【００２６】
飛翔昆虫にとって、波長の長い赤系統の色は見えないか、あるいは見えにくい。よって、コバエ類などの誘引色である青色のカバーを設置した本発明の捕獲器は、コバエ類がカバーの青色をはっきりと認識するため、視覚による誘引性が高くなる。また、カバー上部の誘引孔から赤色の粘着捕獲シートが見えるため、コバエ類は誘引孔を容易に見つけることになり、誘引効果がさらに高くなるのである。したがって、本発明の飛翔昆虫用捕獲器は、種々の害虫に対して誘引性を有するが、とくにショウジョウバエ、ノミバエ、クロバネキノコバエ、チョウバエなどのコバエ類に有用である。
【実施例】
【００２７】
以下、本発明について実施例をあげて具体的に説明する。
【００２８】
実施例１
印刷により赤色に着色した紙製のシート基材に、ゴム系粘着性物質からなる粘着剤層を形成した粘着捕獲シートを覆うように、ポリ塩化ビニル製のドーム型のカバーを取り付け、捕獲器を作成した。カバーは、フィルムシート作成時に樹脂に顔料を混ぜ込んでシート成型することにより青色に着色したものを使用した。
【００２９】
約１０畳の部屋の中央にコバエ（ショウジョウバエ）の飼育庫を置き、飼育庫から２ｍの距離に、作成した捕獲器を３個配置した。捕獲器を配置してから１週間後および２週間後に、３個の捕獲器内に捕獲されたコバエの合計数を数えた。結果を表１に示す。
【００３０】
比較例１
粘着捕獲シートを桃色に着色した以外は実施例１と同様にして捕獲器を作成し、実施例１と同様の方法でコバエの捕獲数を数えた。結果を表１に示す。
【００３１】
比較例２
粘着捕獲シートを白色に着色した以外は実施例１と同様にして捕獲器を作成し、実施例１と同様の方法でコバエの捕獲数を数えた。結果を表１に示す。
【００３２】
比較例３
カバーを無色にした以外は実施例１と同様にして捕獲器を作成し、実施例１と同様の方法でコバエの捕獲数を数えた。結果を表１に示す。
【００３３】
比較例４
カバーを無色、粘着捕獲シートを桃色に着色した以外は実施例１と同様にして捕獲器を作成し、実施例１と同様の方法でコバエの捕獲数を数えた。結果を表１に示す。
【００３４】
比較例５
カバーを無色、粘着捕獲シートを白色に着色した以外は実施例１と同様にして捕獲器を作成し、実施例１と同様の方法でコバエの捕獲数を数えた。結果を表１に示す。
【００３５】
表１より、カバーが青色の場合、無色の場合に比べてコバエの捕獲数が約１．７倍（６６５匹／４０２匹）となり、また、粘着捕獲シートが赤色の場合、白色の場合に比べて捕獲数が約１．３倍（４２６匹／３３０匹）となることがわかった。さらに、カバーを青色、粘着捕獲シートを赤色とした捕獲器の捕獲数は、カバーを無色、粘着捕獲シートを白色とした捕獲器に比べて約３倍（２６６匹／８８匹）となった。粘着捕獲シートが桃色の場合には、赤色の場合に比べて捕獲数が少なくなっていた。
【００３６】
【表１】
2006191883.tif 000003
【図面の簡単な説明】
【００３７】
【図１】本発明の飛翔昆虫用捕獲器の一実施の形態の横面図である。
【図２】本発明の飛翔昆虫用捕獲器の一実施の形態の構成を示す図である。
【図３】本発明の飛翔昆虫用捕獲器を構成するカバーの構造を示す図である。
【符号の説明】
【００３８】
１  飛翔昆虫用捕獲器
２  粘着捕獲シート
３  粘着面
４  カバー
５  誘引孔
６  剥離紙
７  誘引剤
８  折り返し部
【図１】
2006191883.tif 000004
【図２】
2006191883.tif 000005
【図３】
2006191883.tif 000006